(57)【要約】【課題】本発明は従来の放水圧力であっても放水距離を延ばすことが可能となり、火災時において火元に多くの水を集め鎮火を早めることが出来ることで、前述の問題点を解決しようとするものである。【解決の手段】ノズル内部に元部から先端部にかけて螺旋状のリブを２本形成し放水時において流出する水流に回転が加え、圧力損失と空気抵抗を少なく抑え放出される水流幅を小さくすることで放水先端部に水流を集め、放水距離をのばすことが可能とした。又ノズル内部に元部から先端部に三角錐状のリブを１２０度の間隔で３本形成し放水される水流に直進性と放水距離を増し放水幅の角度を小さくすることで放水された水が先端部に集まるようにして鎮火を早めるようにしたものである。 【選択図】図１
2014161359.tif 000002
【特許請求の範囲】
【請求項１】
放水用のノズルのノズルチップとプレパイプの差込式金具受け口のメス側内部の元部から先端部にかけての少なくとも一方に放水時には水流に回転を加えることができる螺旋状のリブを形成したことを特徴とする放水用のノズル。
【請求項２】
放水用のノズルのノズルチップとプレパイプの差込式金具受け口のメス側内部の元部から先端にかけての少なくとも一方に放水する水流に直進性を増す三角錐状のリブを形成したことを特徴とする放水用のノズル。
【発明の詳細な説明】
【技術分野】
【０００１】
本発明は、放水用ノズルに関するものである。
【背景技術】
【０００２】
現在使用されている消火用のノズルは図７及び図８に示すが、放水の距離に限界がある。図７及び図８に示すものはノズルから放水された水は扇状に大きく角度もあり火元までの届く距離が短くロスの部分があった。例えば1.6ＭＰ使用圧での放水距離は、真上にすれば16ｍ、2.0ＭＰaでは20ｍ位がしか放水することが出来ない。火元に放水し消火しようと近寄り過ぎれば作業者に身の危険があり、離れれば火元に十分の水量が届かなくなることが有ると言う問題点があった。  
【先行技術文献】
【特許文献】
【０００３】
【特許文献１】特開２００８−２１２６３６号公報
【発明の概要】
【発明が解決しようとする課題】
【０００４】
本発明は放水圧力が、1.6ＭＰa  ２．０ＭＰaであってもその放水距離を伸ばすこ  とが可能となり、作業者と火元との距離が離れていても水が届き、身の安全が確保でき消火活動がスムーズに行うことが出来るようになり、前述の問題点を解決しようとするものである。
【課題を解決するための手段】
【０００５】
本発明の放水用ノズルは、放水用のノズルのノズルチップとプレパイプの差込式金具受け口のメス側内部の元部から先端部にかけての少なくとも一方に放水時には水流に回転を加えることができる螺旋状のリブを形成したことを特徴とする。
【０００６】
また、放水用のノズルのノズルチップとプレパイプの差込式金具受け口のメス側内部の元部から先端にかけての少なくとも一方に放水する水流に直進性を増す三角錐状のリブを形成したことを特徴とする。
【発明の効果】
【０００７】
本発明のノズルは、放水用のノズルのノズルチップとプレパイプの差込式金具受け口のメス側内部の元部から先端部にかけての少なくとも一方に放水時には水流に回転を加えることができる螺旋状のリブを形成したことにより、回転する水流を生み出し圧力損失を少なくし、空気抵抗を抑えることで放水距離を大きく伸ばせことが出来ることで、消火活動する作業者が火元から距離を置いても身の危険を感じることが和らぎ放水することが出来るようになる。水流に回転が加えられるようになることで放水される水流の角度が少なくなることで、先端に水を集められることで火災の沈下を早めることができ、火災現場の作業者の人命や財産を少しでも多く守れるとことが可能となる。      
【０００８】
また、本発明のノズルは、放水用のノズルのノズルチップとプレパイプの差込式金具受け口のメス側内部の元部から先端にかけての少なくとも一方に放水する水流に直進性を増す三角錐状のリブを形成したことにより、放水される水流が直進性と放水幅の角度を小さくし圧力損失を抑えることで火元までの距離を延ばし放水先端部に水流が集まるようにしている。                                                                
【０００９】
散弾銃とライフル銃でもあきらかにされているように、銃身が平筒の散弾銃は実包の場合２０度〜３０度の時に最大の飛距離が得られる。銃身が平筒の散弾銃で２０度〜３０度位の角度で発射した場合、最大の到達距離は７００ｍであるが、銃身内部に螺旋状（ライフリング）に形成されているライフル銃は３２度〜３５度位の角度で発射した場合回転の加えられた実弾の最大到達距離は、３２００ｍ〜４０００ｍになる。このことから消火用のノズル内部に螺旋状のリブを形成すると、その放水距離は大きく伸ばすことが出来、火災時において消火活動する作業者の身の安全と消火を早めることで人々の命や財産を守ることが可能となる。
（最大到達距離の数値は、実射実験値を無風で標準大気圧状態のときとした数値であ
る
一般社会法人  大日本猟友会  狩猟読本から参考）
【図面の簡単な説明】
【００１０】
【図１】本発明の実施例螺旋リブ付のノズル本体の正面図である。
【図２】本発明の実施例螺旋リブ付のノズル本体の側面図である。
【図３】本発明の実施例螺旋リブ付のノズル本体の断面図である。
【図４】本発明の直線リブ付のノズル本体の正面図である。
【図５】本発明の直線リブ付のノズル本体の側面図である。
【図６】本発明の直線リブ付のノズル本体の断面図である。
【図７】従来一般に使用されているノズル本体の正面図である。
【図８】同上のノズル本体の側面図である。
【発明を実施するための形態】
【００１１】
以下、本発明の第１実施例の螺旋リブ付の放水用ノズル本体について、図１乃至図３を参照して説明する。本発明のノズル本体１の内部に、町野差込式メス側受け口３のメス側のノズル元部２からノズル先端に向けて螺旋状のリブＦ1  Ｆ2を２本形成し流出する水流に回転を加えたものであり、圧力損失と空気抵抗を少なくし放水される水流の角度を小さくすることで放水距離を延ばし、放水先端部に水流を集めるように工夫されたものである。螺旋状のリブＦ1  Ｆ2の断面形状は、水の抵抗を抑えるように三角形状にしている。螺旋状のリブＦ1と螺旋状のリブＦ2の幅は、ノズル元部２とノズル本体１の先端１ａにおいては広がっており、中間部において交差するようにしている。実施例では３か所で交差させているが３か所に限定するものでは無い。螺旋状のリブＦ1と螺旋状のリブＦ2を形成する方法として、アルミ金属の鋳造で形成すればよい。
４はノズル放水口である。５は、ノズルチップである。６は町野式差込金具ツメであり、固定用のものである。Ｎは弾性材でできた青タイヤである。  
【００１２】
以下、本発明の第２実施例の螺旋リブ付の放水用ノズル本体について、図４乃至図６を参照して説明する。本発明のノズル本体１の内部に、町野差込式メス側受け口３のメス側のノズル元部２からノズル先端に向けてリブＦ３、Ｆ４、Ｆ５を３本、１２０度の等間隔で形成したものであり、圧力損失と空気抵抗を少なくし放水される水流の角度を小さくすることで放水距離を延ばし、放水先端部に水流を集めるように工夫されたものである。突起物Ｆ３、Ｆ４、Ｆ５の断面形状は、水の抵抗を抑えるように三角形状にしている。突起物Ｆ３、Ｆ４、Ｆ５を形成する方法として、アルミ金属の鋳造で形成すればよい。
【００１３】
本発明のノズル内部に、差込式金具受口のメス側の元部からノズル先端に向けて二等辺三角形状の突起物１２０度の間隔でノズル元部から先端部に三角状のストレート状のリブ３本を形成し放水される水流が直進性と放水幅の角度を小さくし圧力損失を抑えることで火元までの距離を延ばし放水先端部に水流が集まるように工夫をしている。
【００１４】
ノズル内部に形成する螺旋状のリブと三角状のストレートリブのついては必要とする放水距離が可能であれば、ノズルチップ５に形成しても構わないものである。
【００１５】
従来一般に使用されている放水用ノズルの内部にストレートのリブを付帯することで従来の放水距離を延ばすことが可能になるようにリブの元部から先端部にかけての二等辺三角形の形状を形成し、又元部は水の圧力損失が出ないようにスロープ状にすることで求めている条件を満たすように工夫している。又内部のリブを螺旋状にすることで水に回転が加えられることによりさらに圧力損失と空気の抵抗を小さく抑えられる。螺旋状の元部においてもリブの形状にスロープ状とすることで圧力損失を抑えられるようにしている。
【符号の説明】
【００１６】
１  ノズル本体（プレパイプ）
２  ノズル元部  
３  差込式金具受口（町野式差込式メス側受け口）
４  ノズル放水口
５  ノズルチップ
６  町野式差込金具ツメ
Ｆ3  Ｆ4  Ｆ5  ストレートリブ
Ｆ1  Ｆ2  スパイラル（螺旋）リブ
Ｎ  青タイヤ  
【図１】
2014161359.tif 000003
【図２】
2014161359.tif 000004
【図３】
2014161359.tif 000005
【図４】
2014161359.tif 000006
【図５】
2014161359.tif 000007
【図６】
2014161359.tif 000008
【図７】
2014161359.tif 000009
【図８】
2014161359.tif 000010